(57)【特許請求の範囲】
【請求項１】
ハブ（１０）の外径筒部（１０ａ）の外周面に嵌着されるスリーブ（１１ａ）及びこのスリーブ（１１ａ）の一端部から内周側へ延在された径方向フランジ（１１ｂ）からなるハブプレート（１１）と、前記スリーブ（１１ａ）の外周側に配置された質量体（１２）と、
前記スリーブ（１１ａ）と質量体（１２）の間に一体に接着されたエラストマ部材（１３）と、
前記径方向フランジ（１１ｂ）と軸方向に対向配置された第二の質量体（１４）と、
前記径方向フランジ（１１ｂ）と第二の質量体（１４）の間に一体に接着された第二のエラストマ部材（１５）とを備え、
前記ハブプレート（１１）のスリーブ（１１ａ）と径方向フランジ（１１ｂ）の間に、円周方向に並んで開設された複数の窓部（１１ｃ）により前記径方向フランジ（１１ｂ）よりも剛性を小さくした易変形部（１６）を設けたことを特徴とするダンパ。
【発明の詳細な説明】
【０００１】
【産業上の利用分野】
本発明は、回転軸の捩り振動を吸収するダンパであって、特に、ダンパ本体部のエラストマ部材が、ハブに嵌着されるハブプレートの径方向フランジに加硫接着された構造を有するものに関する。
【０００２】
【従来の技術】
自動車の駆動系の回転軸に回転に伴って生じる捩り振動（回転方向の振動）を有効に吸収するダンパは、基本的には回転軸に取り付けられるハブと、このハブに近接配置された環状の質量体とを、エラストマ部材を介して弾性的に連結した構造を有し、質量体とエラストマ部材からなるダンパ本体部が、ハブを介して入力される回転軸の捩り振動の振動変位の位相と逆の位相で共振することによって、動的吸振効果を発揮するもので、その一種として、従来から、図２に示すようないわゆるダブルマス型のものが知られている。
【０００３】
すなわち図２において、参照符号１００はハブ、１０１はハブ１００の外径筒部１００ａの外周面に嵌着されたスリーブ１０１ａ及びこのスリーブ１０１ａの一端から内周側へ延在された径方向フランジ１０１ｂからなる環状のハブプレート、１０２はハブ１００の外周側に同心配置された環状の質量体、１０３はハブプレート１０１のスリーブ１０１ａと質量体１０２の互いに対向する円筒面間に一体に加硫成形されたエラストマ部材、１０４はハブ１００の外径筒部１０１ａの内周空間に配置された環状の第二の質量体、１０５はこの第二の質量体１０４と径方向フランジ１０１ｂの互いに対向する端面間に一体に加硫成形された第二のエラストマ部材である。このダブルマス型のダンパは、質量体１０２及びエラストマ部材１０３からなるダンパ本体部Ｄ１と、第二の質量体１０４及び第二のエラストマ部材１０５からなる第二のダンパ本体部Ｄ２に互いに異なる捩り方向固有振動数が設定されることによって、回転軸に回転に伴って発生する捩り振動に対して広い回転数域で制振性能を得ようとするものである（例えば実開平１−９２５４６号公報参照）。
【０００４】
この種のダンパにおいては、スリーブ１０１ａと質量体１０２との間及び径方向フランジ１０１ｂと第二の質量体１０４との間に、エラストマ部材１０３及び第二のエラストマ部材１０５を加硫接着した図３のようなハブプレート１０１を、ハブ１００の外径筒状部１０１ａの外周面に適当な締め代で圧入嵌合し、これによってハブ１００とハブプレート１０１とを強固に一体化すると共に、スリーブ１０１ａの拡径変形によってエラストマ部材１０３に予圧縮を与えている。この予圧縮は、スリーブ１０１ａと質量体１０２の互いに径方向に対向する円筒面間に加硫成形されたエラストマ部材１０３に成形後の体積収縮によって生じる径方向の残留引っ張り応力を解消し、捩り振動入力による繰り返し変形に対する耐久性を向上させるのに有効に作用する。
【０００５】
【発明が解決しようとする課題】
上記従来例においては、次のような問題が指摘される。
すなわち、ハブプレート１０１を、ハブ１００の外径筒状部１０１ａの外周面に圧入嵌合する際には、ハブプレート１０１は、図３に破線で示すように、スリーブ１０１ａが拡径変形されると同時に、この拡径変形によって径方向フランジ１０１ｂを軸方向内側へ傾斜変形させる力が生じるため、第二の質量体１０４は第二のエラストマ部材１０５を介して径方向フランジ１０１ｂに押圧され、軸方向に変位される。ところが、前記傾斜変形による径方向フランジ１０１ｂの軸方向変位量は外周側ほど小さくなるため、この径方向フランジ１０１ｂと、軸方向に平行移動される第二の質量体１０４との間が、外周側ほど大きく離されることになる。したがって、第二のエラストマ部材１０５には、内径部１０５ａにおいて圧縮応力が作用する一方、外径部１０５ｂにおいては引っ張り応力が作用し、この引っ張り応力によって捩り振動入力時の繰り返し変形に対する第二のエラストマ部材１０５の耐久性が低下してしまう。
【０００６】
本発明は、上記のような事情のもとになされたもので、その技術的課題とするところは、ハブプレートの径方向フランジの傾斜変形による第二のエラストマ部材の耐久性の低下を防止したダンパを提供することにある。
【０００７】
【課題を解決するための手段】
上述の技術的課題を有効に解決するための手段として、本発明のダンパは、ハブの外径筒部の外周面に嵌着されるスリーブ及びこのスリーブの一端部から内周側へ延在された径方向フランジからなるハブプレートと、前記スリーブの外周側に配置された質量体と、前記スリーブと質量体の間に一体に接着されたエラストマ部材と、前記径方向フランジと軸方向に対向配置された第二の質量体と、前記径方向フランジと第二の質量体の間に一体に接着された第二のエラストマ部材とを備え、前記ハブプレートのスリーブと径方向フランジの間に、円周方向に並んで開設された複数の窓部により前記径方向フランジよりも剛性を小さくした易変形部を設けたものである。
【０００８】
【作用】
本発明によると、ハブプレートのスリーブをハブの外径筒部の外周面に圧入嵌合することによって前記スリーブが拡径変形される際に、このスリーブと径方向フランジとの間で、複数の窓部により剛性が低下した易変形部が容易に変形される。このため、スリーブの拡径変形に伴って径方向フランジを傾斜させる方向に発生する力が前記易変形部において吸収され、径方向フランジの傾斜変形による第二のエラストマ部材の引っ張り応力を有効に防止する。また、複数の窓部は回転時に空気を流通させ、放熱を促す作用も有する。
【０００９】
【実施例】
図１は本発明に係るダンパの一実施例を示すものである。この実施例において、参照符号１１は軸心Ｏを通る平面で切断した断面形状が略Ｌ字形をなすハブプレートであり、スリーブ１１ａ及びこのスリーブ１１ａの一端から内周側へ延在された径方向フランジ１１ｂからなる。
【００１０】
スリーブ１１ａの外周側には環状の質量体（大マス）１２が同心配置されており、前記スリーブ１１ａの内周側には環状の第二の質量体（小マス）１４が径方向フランジ１１ｂと軸方向に対向配置されており、スリーブ１１ａと質量体１２の間及び径方向フランジ１１ｂと第二の質量体１４の間には、それぞれエラストマ部材１３及び第二のエラストマ部材１５が一体に加硫成形されることによって、質量体１２及びエラストマ部材１３からなるダンパ本体部Ｄ１と、第二の質量体１４及び第二のエラストマ部材１５からなり前記ダンパ本体部Ｄ１とは捩り方向固有振動数が異なる第二のダンパ本体部Ｄ２を構成している。ハブプレート１１のスリーブ１１ａと径方向フランジ１１ｂとの間の屈曲部には、円周方向等間隔で、複数の窓部１１ｃが開設されており、これによって、各窓部１１ｃの間の部分がスリーブ１１ａ及び径方向フランジ１１ｂよりも剛性の低い易変形部１６となっている。
【００１１】
なお、捩り振動入力時の径方向フランジ部１１ｂと第二の質量体１４の円周方向相対変位量は外周側ほど大きいから、第二のエラストマ部材１５の肉厚を均一にした場合は、その変形率が外周側ほど大きくなってしまう。このため、前記径方向フランジ１１ｂをテーパ状に形成することによって、第二のエラストマ部材１５の軸方向肉圧を外周側へ向けて漸次大きくし、変形率が内周部１５ａと外周部１５ｂとで均一になるようにしてある。
【００１２】
ハブプレート１１は、そのスリーブ１１ａが図中二点鎖線で示すハブ１０の外径筒部１０ａの外周面に適当な締め代で圧入嵌合され、これによってハブ１０とハブプレート１１とを強固に一体化すると共に、スリーブ１１ａの拡径変形によってエラストマ部材１３に予圧縮を与える。このとき、スリーブ１１ａの拡径変形に伴って、スリーブ１１ａと径方向フランジ１１ｂとの間の屈曲部には、テーパ状に形成された径方向フランジ１１ｂを第二の質量体１４側へ向けて更に傾斜変形させる力を生じるが、この屈曲部は、円周方向に並んだ複数の窓部１１ｃにより剛性が低下された易変形部１６となっているため、スリーブ１１ａの拡径変形と共に径方向へ延びるように容易に変形され、前記傾斜変形力を吸収する。したがって、第二のエラストマ部材１５の内周部１５ａに作用する圧縮及び外周部１５ｂに作用する引っ張りが有効に抑えられる。
【００１３】
また、このダンパは、回転軸からの捩り振動入力に伴ってダンパ本体部Ｄ１及び第二のダンパ本体部Ｄ２が回転と共に捩り方向に振動変位され、エラストマ部材１３及び第二のエラストマ部材１５が反復変形される。このため、エラストマ部材１３及び第二のエラストマ部材１５は発熱するが、ハブプレート１１の易変形部１６における窓部１１ｃは、このハブプレート１１の両側間で空気を流通させ、前記熱の放出を促すので、熱の蓄積によるエラストマ部材１３及び第二のエラストマ部材１５の材質の劣化を防止する効果をも発揮する。
【００１４】
【００１５】
【００１６】
【００１７】
【発明の効果】
本発明のダンパによると、ハブプレートのスリーブをハブに圧入嵌合することによって生じる前記ハブプレートの径方向フランジに対する傾斜変形力が、前記スリーブと径方向フランジの間に、円周方向に並んで開設された複数の窓部により設けた易変形部の変形によって吸収されるので、前記径方向フランジの傾斜変形による第二のエラストマ部材の外周部の引っ張り応力の発生を有効に抑え、この第二のエラストマ部材の振動吸収動作に対する耐久性低下を防止することができる。また、前記窓部は回転時に空気を流通させ、放熱を促すので、エラストマ部材及び第二のエラストマ部材の発熱による劣化を防止することもできる。
【図面の簡単な説明】
【図１】本発明に係るダンパの一実施例を示すもので、（Ａ）は軸心Ｏを通る平面で切断して示す半裁断面図、（Ｂ）は（Ａ）における矢印Ｂ方向の部分的な矢視図である。
【図２】従来例に係るダンパの一例をその軸心Ｏを通る平面で切断して示す半裁断面図である。
【図３】上記従来例におけるハブプレートの変形を説明するための図である。
【符号の説明】
１０  ハブ
１０ａ  外径筒部
１１  ハブプレート
１１ａ  スリーブ
１１ｂ  径方向フランジ
１１ｃ  窓部
１２  質量体
１３  エラストマ部材
１４  第二の質量体
１５  第二のエラストマ部材
１５ａ  内周部
１５ｂ  外周部
１６  易変形部
Ｄ１  ダンパ本体部
Ｄ２  第二のダンパ本体部
【図１】
0003552776.tif 000002
【図２】
0003552776.tif 000003
【図３】
0003552776.tif 000004